(57)【要約】【課題】  ガイドレールのすぐ内側に流下してきた遊技球について入賞の機会を増大させることにより、遊技の興趣をより一層高めることのできるパチンコ機を提供すること。【解決手段】  パチンコ機１の遊技領域１３の外縁を区画するガイドレール１２のすぐ内側に連設されるとともに、ガイドレール１２のすぐ内側の遊技領域１３を流下してきた遊技球を遊技領域１３内に配設された入賞口２０、２１方向に誘導するジャンプ台４０、６０ａ、６０ｂを設けた。ジャンプ台４０、６０ａ、６０ｂは、入賞口２０、２１から所定の間隔をおいた位置に配設されるとともにこの入賞口２０、２１付近に向かって遊技球を飛び跳ねさせる。    【選択図】    図２
2010046222.tif 000002
【特許請求の範囲】
【請求項１】
パチンコ機の遊技領域の外縁を区画するガイドレールのすぐ内側に連設されるとともに、ガイドレールのすぐ内側の遊技領域を流下してきた遊技球を、遊技領域内に配設された入賞口方向に誘導する誘導部が設けられたことを特徴とするパチンコ機。
【請求項２】
前記誘導部が、前記入賞口から所定の間隔をおいた位置に配設されるとともに、前記入賞口付近に向かって遊技球を飛び跳ねさせるジャンプ台であることを特徴とする請求項１に記載のパチンコ機。
【請求項３】
前記誘導部が、前記ガイドレールの下方寄りに配設されたことを特徴とする請求項１または請求項２に記載のパチンコ機。
【請求項４】
前記誘導部の直上に、アウト口を設けたことを特徴とする請求項１から請求項３のいずれかに記載のパチンコ機。
【請求項５】
前記誘導部が遊技領域の上下方向に複数以上設けられるとともに、前記誘導部のうち上方に位置する誘導部に、下方の誘導部に遊技球を流下可能な誘導路が設けられたことを特徴とする請求項１から請求項４のいずれかに記載のパチンコ機。
【請求項６】
前記誘導路が、誘導部の上面部のうちの一部の部位であって前記誘導部の上方かつ背面側に入口が開口された迂回誘導路であることを特徴とする請求項５に記載のパチンコ機。
【発明の詳細な説明】
【技術分野】
【０００１】
本発明はパチンコ機に関する。
【背景技術】
【０００２】
パチンコ機には、発射装置によって発射された遊技球が流下して入賞口への入賞の機会を得ることのできる遊技領域が設けられている。この遊技領域の外縁は、通常、なだらかに湾曲された円形状のガイドレールに囲まれている。そして、この遊技領域には各種の入賞口が分散して配設され、また、遊技領域の下部中央付近には、入賞ができなかった遊技球を遊技領域外に排出するアウト口が配設されている（例えば、特許文献１参照。）。
【０００３】
【特許文献１】特開２００８−２９７７０号公報（図１）
【発明の開示】
【発明が解決しようとする課題】
【０００４】
前述した従来のパチンコ機では、遊技領域の中央付近において釘にぶつかりながら徐々に落下していく遊技球については、配設された入賞口への入賞の機会を期待しながら遊技を楽しめる。しかしながら、ガイドレール内側から一定間隔の間には、釘が配設されておらず、また、この場所には入賞口が配設されることもないので、ガイドレールのすぐ内側に至った遊技球は湾曲形成されたガイドレールの内側に導かれて一気にアウト口に流下してしまう。よって、このようなガイドレールのすぐ内側に流下してきた遊技球については、入賞の機会を望むことが困難である。このため、このようなガイドレールのすぐ内側に至った遊技球のように、発射された遊技球のうちの一部については、遊技領域に進入後すぐに入賞の機会を失うことになるため、パチンコ機の遊技の興趣を高めるために寄与できないという問題が生じていた。
【０００５】
本発明は前述した従来のパチンコ機の問題点を解消するものであり、ガイドレールのすぐ内側に流下してきた遊技球について入賞の機会を増大させることにより、遊技の興趣をより一層高めることのできるパチンコ機を提供することを目的とする。
【課題を解決するための手段】
【０００６】
以上の課題を解決するために、本発明の採った手段を以下に説明する。本発明のパチンコ機は、
パチンコ機の遊技領域の外縁を区画するガイドレールのすぐ内側に連設されるとともに、ガイドレールのすぐ内側の遊技領域を流下してきた遊技球を、遊技領域内に配設された入賞口方向に誘導する誘導部が設けられたことを特徴とするパチンコ機（請求項１）。
【０００７】
このような誘導部を設けることにより、ガイドレールのすぐ内側に流下してきた遊技球について、入賞口への入賞の機会を増加させることができる。「誘導部」の例示としては、入賞口付近にまで延設されて入賞口に遊技球を直接誘導する通路などや、入賞口から所定の間隔をおいた位置に配設されるとともにこの入賞口付近に向かって遊技球を飛び跳ねさせるジャンプ台のようなもの（請求項２）でも良い。また、このような「誘導部」をガイドレールの左右にそれぞれ設けても良いし、左右のうちのいずれか一方にのみ設けることとしても良い。また、通常、ガイドレールは正面視円形に形成されており、ガイドレールの下方寄りの部位が内側に向けて湾曲されているので、ガイドレールに沿って流下する遊技球はガイドレールの下方寄りの部位に沿って流下する割合が大きい。よって「誘導部」は、ガイドレールの下方寄りに配設すること（請求項３）が望ましい。
【０００８】
また、前記誘導部の直上に、アウト口を設けることとしても良い（請求項４）。
【０００９】
誘導部によって入賞口方向に誘導できなく誘導部上に滞留してしまう遊技球を、このようなアウト口により、アウト球としてパチンコ機外に排出することができる。  
【００１０】
また、前記誘導部が遊技領域の上下方向に複数以上設けられるとともに、前記誘導部のうち上方に位置する誘導部に、下方の誘導部に遊技球を流下可能な誘導路が設けられたものとしても良い（請求項５）。
【００１１】
誘導部を上下に複数以上設けるとともにこのような誘導路を設けることにより、上方の誘導部によって入賞できなかった遊技球に、さらに入賞の機会を与えることができる。
【００１２】
また、前記誘導路を、誘導部の上面部のうちの一部の部位であって前記誘導部の上方かつ背面側に入口が開口された迂回誘導路とすることも良い（請求項６）。
【００１３】
このような迂回誘導路を設けることにより、誘導部の上面部において一時的に滞留状態となった遊技球を、上面部のうちの迂回誘導路の入口にさしかかった時にのみ迂回誘導路に流下させることができる。よって、一時的な滞留状態から迂回誘導路への流下の過程、ひいては下方の誘導部に基づく入賞の機会の付与への過程を、遊技球の動きによって効果的に演出することができる。
【発明の効果】
【００１４】
本発明のパチンコ機は前述のような誘導部が設けられているので、ガイドレールのすぐ内側に流下してきた遊技球について入賞の機会を増大させることができ、よって、遊技の興趣をより一層高めることができる。また、特に請求項２のパチンコ機では、これに加えて、遊技球が飛び跳ねさせられて入賞の機会を与えられるので遊技球の動きに変化を与えることもできる。また、特に請求項４のパチンコ機では、誘導部上に滞留しようとする遊技球をアウト球としてパチンコ機外に排出できるので、遊技領域内での遊技球の処理を円滑に行うこともできる。また、特に請求項５及び請求項６のパチンコ機では、さらに、複数以上の誘導部により複数回以上の入賞の機会を与えることにより遊技の興趣をより一層高めることもできる。
【発明を実施するための最良の形態】
【００１５】
次に、本発明のパチンコ機１の実施の形態を図を参考にして詳細に説明する。図１に示すように、本発明に係るパチンコ機１はいわゆる「第一種パチンコ機」と呼ばれ、特別図柄表示装置２２を備え、特別図柄が特定の態様で揃った場合には、遊技盤６下部の可変大入賞口装置２４の開閉扉２５が開成されて多数の遊技球を入賞することができる、いわゆる「大当たり」と呼ばれる特別遊技状態を生起するパチンコ機である。
【００１６】
［パチンコ機全体の構成］
パチンコ機１の機枠３は、パチンコ機１の本体２を遊技ホールの設置場所（いわゆる「島設備」）に固定するためのものであり縦長長方形状の木製の枠部材から構成されている。機枠３の前面には、機枠３に対してヒンジ機構によって開閉自在に取付固定された前面枠４が設けられている。
【００１７】
また前面枠４のさらに前面側上部には、ガラス扉枠５が開閉自在に取付固定されている。ガラス扉枠５の背面側には遊技盤６が配設されており、ガラス扉枠５の内側に取り付けられたガラス板を透過して遊技盤６を視認することができる。また、前面枠４の前面側下部には前面扉７が開閉自在に取付固定されている。
【００１８】
前面扉７の前面には、所定数の貸球や賞球を貯留する球受け皿８が設けられている。また球受け皿８の下方には、球受け皿８の余剰球を貯留するための余剰球受け皿９や、発射装置を駆動して遊技球を遊技領域に向けて発射するための操作ハンドル１０が取り付けられている。
【００１９】
遊技盤６の前面には、遊技盤６の周辺付近に全体がやや縦長のほぼ円形状に配設されたガイドレール１２が取り付けられており、このガイドレール１２に囲まれた区画が遊技領域１３とされている。遊技領域１３には、特別図柄表示装置２２、可変大入賞口装置２４、始動入賞口２６、アウト口２７、多数の釘２８などが取り付けられている。そして、このガイドレール１２の左右の部位の上下方向における中央付近より下方に、第一ジャンプ台４０，第二ジャンプ台６０ａ，６０ｂを備えた誘導装置３０ａ，３０ｂが設けられている。
【００２０】
［誘導装置の構成］
図２に示すように、誘導装置３０ａはガイドレール１２の内側に沿うような形でその外周部が形成されており、ガイドレール１２と別体には形成されているが、ガイドレール１２に連設するような形状に形成されている。なお、誘導装置３０ｂは、誘導装置３０ａと左右対称に形成されているので、以下の説明において、特に言及のない限り、誘導装置３０ｂについては誘導装置３０ａと同様の構成であるものとして、その説明については省略する。
【００２１】
誘導装置３０ａは、その全体が、右側を内側にして緩やかに湾曲する三日月形状に形成されている。左側の外周縁３２は、ガイドレール１２の左側の部位の内側に沿うように形成されており、ガイドレール１２の内側に連設するようにして配設されている。そして、この誘導装置３０ａには、振り分け部材３４、迂回誘導路入口５０、迂回誘導路出口５４、本発明の「誘導部」の一例である第一ジャンプ台４０及び第二ジャンプ台６０ａ，６０ｂ、並びに本発明の「入賞口」の一例である第一チャッカー２０，第二チャッカー２１などが備えられている。
【００２２】
振り分け部材３４は、振り分け部材３４の上方から流下してきた遊技球を、第一ジャンプ台４０に誘導する第一通路３６、または、遊技領域１３の下部中央方向のいずれかに振り分けて誘導するものである。そして、振り分け部材３４の上部には、第一通路３６方向に向けて斜め左下がりに傾斜した左傾斜面３７と、この左傾斜面３７の右側に連設されるとともに斜め右下がりに傾斜した右傾斜面３８とが設けられており、これらの傾斜面３７，３８によって、遊技球が振り分けられるように設けられている。この第一通路３６に誘導された遊技球のみが、後述する第一ジャンプ台４０に誘導されることになる。このような振り分け部材３４を設けることにより、まず最初に、第一ジャンプ台４０方向に遊技球が誘導されるかどうか、すなわち、本発明の「誘導部」による入賞の機会を与えられるかどうかのスリル感を遊技者に与えることができる。
【００２３】
なお、この振り分け部材３４の上方にはスルーチャッカー２３が設けられているが、このスルーチャッカー２３の下方に二つの釘２８ａ，２８ｂが打設されており、このスルーチャッカー２３に入賞された遊技球がこれらの二つの釘２８ａ，ｂの間を通過した場合に左傾斜面３７及び右傾斜面３８の境界部に遊技球が落下して、第一通路３６に遊技球が導かれる可能性が高まるように設け、一方、スルーチャッカー２３、及び二つの釘２８ａ，ｂ間を通過しない遊技球は第一通路３６には容易には到達できないように設けることにより、スルーチャッカー２３への入賞、及び釘２８ａ，ｂの通過に遊技者が注目するように構成されている。
【００２４】
ガイドレール１２の内側に沿うようにして形成された第一流路３６の下端下方には、第一通路３６を流下してきた遊技球を右斜め上方に飛び跳ねさせるように誘導する第一ジャンプ台４０が設けられている。第一ジャンプ台４０は、その上面部４２のガイドレール１２側の端部が、上側を内側とした湾曲形状になされ、第一通路３６の下端におけるガイドレール１２の内側壁部３５から連続する形状に形成されている。また、上面部４２の右側寄りは、右斜め上方の角度に向けて形成されている。なお、上面部４２の右端は下方に向けて湾曲形成されている。そして、この第一ジャンプ台４０の右端のさらに右側やや下方には、上面部４２から所定の間隔をおいて、第一チャッカー２０が配設されている。第一ジャンプ台４０右端から第一チャッカー２０までの間隔は、遊技球の直径の２個分強とされており、飛び跳ねさせられた遊技球の一部は、この第一ジャンプ台４０と第一チャッカー２０との間の誘導路３９ａから下方に落下することが可能に設けられている。
【００２５】
また、上面部４２の再下点の上方に位置する部位の誘導装置３０ａの本体壁部３１には、遊技球が１個だけ通過可能な大きさの迂回誘導路入口５０が開設されている。図３にも示すように、この迂回誘導路入口５０は、本体壁部３１裏側に設けられた迂回誘導路５２を介して、第一ジャンプ台４０の下方に開口された迂回誘導路出口５４に連通されている。第一通路３６を流下してきた遊技球は、その全てが第一ジャンプ台４０の右側に飛び跳ねさせられるものではなく、流下してきた遊技球の進入角度や流下速度などの差異により、その一部は、第一ジャンプ台４０の上面部４２に滞留してしまうおそれがある。前述のような迂回誘導路５２を設けることにより、このような一部の遊技球について、上面部４２に滞留することなく第一ジャンプ台４０の下方に排出させることができる。
【００２６】
迂回誘導路出口５４の右斜め下方のガイドレール１２の内側に沿った部位には、第二ジャンプ台６０が設けられている。第二ジャンプ台６０は、第二ジャンプ台６０ａ，６０ｂから構成されている。第二ジャンプ台６０ａは、ガイドレール１２の内側壁部３５からさらに内側に向けて湾曲するようにして連設されている。第二ジャンプ台６０ｂは、第二ジャンプ台６０ａの右端から遊技球の直径１個分強の間隔を開けて、正面視において第二ジャンプ台６０ａの上面部６２の右延長線上に沿うようにしてその上面部６３が形成された板状に設けられている。また、この第二ジャンプ台６０ａ，６０ｂの間は、アウト口２７方向に遊技球を誘導する第二通路６４として設けられている。
【００２７】
また、第二ジャンプ台６０ｂと第二チャッカー２１との間には、下方に開口する第三通路６６が設けられており、第二ジャンプ台６０ｂから右側へ飛び跳ねさせられた遊技球などの一部が通過してアウト口２７方向に誘導されるように設けられている。
【００２８】
前述したように、第一ジャンプ台４０から飛び跳ねることができずに迂回誘導路５２を経て流下してきた遊技球や、第一ジャンプ台４０から飛び跳ねることができたが誘導路３９ａを経て下方に流下してきた遊技球は、この第二ジャンプ台６０ａ，６０ｂ方向へと誘導される。第二ジャンプ台６０ａ，６０ｂは、その左上方から流下してきた遊技球を右斜め上方に誘導するように設けられている。第二ジャンプ台６０ａは、その上面部６２の右端がほぼ水平方向に向けて形成されており、その仮想延長線上に、第二通路６４を間において、第二ジャンプ台６０ｂの上面部６３の左端が配設されている。さらに第二ジャンプ台６０ｂの上面部６３は、右上方向に湾曲しながら右斜め上に向けて形成されている。そして、上面部６３の右側仮想延長線上には、第二チャッカー２１へと遊技球を導く釘が打設されている。
【００２９】
なお、第一チャッカー２０及び第二チャッカー２１の上方に打設された多数の釘は、第一ジャンプ台４０、または第二ジャンプ台６０ａ，６０ｂから飛び跳ねさせられた遊技球のうち、所定の勢い・角度で飛び跳ねさせられた遊技球のみが入賞できるように配設されている。よって、第一ジャンプ台４０又は第二ジャンプ台６０ａ，６０ｂに遊技球が流下してきた場合に、第一チャッカー２０または第二チャッカー２１に遊技球が入賞できるかどうかについて、遊技者の注意を良く惹くことになり、ガイドレール１２内側周辺を流下する遊技球の行方に、遊技者がより一層着目するように設けられている。
【００３０】
そして、前述したように、このように構成された誘導装置３０ａと左右対称の構成の誘導装置３０ｂが、遊技領域１３の右側寄り下部に配設されている。
【００３１】
このように、従来のパチンコ機であれば、ガイドレール１２のすぐ内側に流下してきた遊技球は、ガイドレール１２の内側に沿って一気にアウト口２７にまで誘導されてしまい、入賞の機会を期待できず、よって遊技者の興趣を高めることに寄与することは無かったのに対し、前述のように構成されたジャンプ台４０，６０ａ，６０ｂを備えたパチンコ機１では、ガイドレール１２のすぐ内側に流下してきた遊技球についても第一チャッカー２０及び第二チャッカー２１への入賞の機会を期待できるので、遊技者の興趣を高めることに寄与できる。
【００３２】
また、遊技球に飛び跳ねさせる動きを与えるので、遊技に目新しさを加えることができる。また、特にガイドレール１２のすぐ内側に第一通路３６を設け、釘により遊技球の勢いを殺すことなくこのような動きを与えることができるので、遊技球の動きにスピード感を与えることができるとともに、遊技球の勢いだけでこのような動きを演出できるので動力装置などを別途必要とすることもない。
【００３３】
また、二つのジャンプ台４０，６０ａ，６０ｂ、並びに二つのチャッカー２０，２１をそれぞれ上下に設けることにより、第一ジャンプ台４０により第一チャッカー２０に入賞できなかった遊技球にも、さらに、下方の第二ジャンプ台６０ａ，６０ｂにより第二チャッカー２１への入賞の機会を与えることができるので、遊技者の注目をより惹くことができる。なお、前述の誘導路３９ａ及び迂回誘導路５２が、本発明に言う「誘導路」に相当する。
【００３４】
次に、図４を参照して、前述したものとは異なる本発明の別の実施の形態について説明する。誘導装置７０は、前述の誘導装置３０ａ，３０ｂのような迂回誘導路５２を備えておらず、また、第一チャッカー２０や第二チャッカー２１に対して、その上方に向けて遊技球を飛び跳ねさせて入賞の機会を与える第一ジャンプ台７２、及び第二ジャンプ台７４を備えているものである。
【００３５】
誘導装置７０の左端上端部には、上方から流下してきた遊技球を右方向に飛び跳ねさせるように誘導する第一ジャンプ台７２が設けられている。第一ジャンプ台７２は、その上面部７６が、上側を内側として湾曲した湾曲形状に形成されている。この第一ジャンプ台７２の右側下方には、振り分け部材７８が設けられている。振り分け部材７８は、振り分け部材７８の上方から流下してきた遊技球を、ガイドレール１２内側に沿ってさらに下方に誘導する誘導路３９ｂ、または、第一チャッカー２０の上方のいずれかに振り分けて誘導するものである。振り分け部材７８の上部には、誘導路３９ｂ方向に向けて斜め左下がりに傾斜した左傾斜面８０と、この左傾斜面８０の右側に連設されるとともに第一チャッカー２０の上方に向けて斜め右下がりに傾斜した右傾斜面８２とが設けられており、これらの傾斜面８０，８２によって、遊技球が振り分けられるように設けられている。そして、第一チャッカー２０の上方周辺には、水平方向において並設された２つの釘２８ｃ、ｄが設けられている。また、振り分け部材７８と第一チャッカー２０との間には、第一チャッカー２０上に流下したが入賞しなかった遊技球の一部を第二ジャンプ台７４方向に流下させる誘導路３９ｃが設けられている。
【００３６】
誘導路３９ｂの右斜め下方のガイドレール１２の内側に沿った部位には、第二ジャンプ台７４が設けられている。第二ジャンプ台７４は、ガイドレール１２の内側壁部３５からさらに内側に向けて湾曲するようにして連設され、その上面部８６は第二チャッカー２１の上方に向けられている。そして、第二チャッカー２１の上方周辺には、水平方向において並設された２つの釘２８ｅ，ｆが設けられている。また、この第二ジャンプ台７４と第二チャッカー２１との間は、アウト口２７方向に遊技球を誘導する第三通路８８として設けられている。
【００３７】
また、第二ジャンプ台７４の上面部８６の最下部付近には、アウト口９０が設けられている。したがって、第二ジャンプ台７４から右斜め上方に飛び跳ねることができなく、第二ジャンプ台７４の上面部８６上に滞留してしまう遊技球は、このアウト口９０によりアウト球としてパチンコ機１外に排出されることになる。
【００３８】
このように、この誘導装置７０では、第一ジャンプ台７２及び第二ジャンプ台７４のいずれについても、チャッカー２０，２１の上方に遊技球を飛び跳ねさせて入賞の機会を与えることとしており、前述の誘導装置３０ａ，３０ｂのように多数の釘２８によってチャッカー２０，２１へ遊技球を誘導して入賞の機会を与えるものとは異なっている。なお、前述の誘導路３９ｂ及び誘導路３６ｃが、本発明に言う「誘導路」に相当する。
【００３９】
本各発明は前述した実施の形態の構成に限定されるものではなく、本各発明の範囲内で種々の変更が可能である。例えば、前述の二つの例では、各々二つのジャンプ台を備えるものとしたが、一つのジャンプ台のみを備えるものや、三つ以上のジャンプ台を備えるものでも良い。
【００４０】
また、前述の誘導装置３０ａ等は、「誘導部」の一例であるジャンプ台４０等と「入賞口」の一例であるチャッカー２０等を一体に備えるものとしているが、これらを別体に設けても良く、例えばチャッカーは遊技盤６に別途配設されるものを用い、チャッカーとは別にジャンプ台を単独で遊技盤６に配設することとしても良い。しかしながら、ジャンプ台を経た遊技球のチャッカーへの入賞確率を所定の範囲に正確に収めるには、予めジャンプ台などの誘導部とチャッカーなどの入賞口との位置関係を正確かつ容易に定めることのできるよう、前述の実施の形態のように誘導部と入賞口とを一体に設けることが望ましい。
【００４１】
また、第一の実施の形態においても、迂回誘導路５２を省略することもできる。この場合には、第一ジャンプ台４０の上面部４２を遊技領域１３中央方向に下がり傾斜に構成して第一ジャンプ台４０の右側に遊技球が必ず誘導されるようにしたり、上面部４２の最下点の部位に正面側に傾斜した誘導溝を設けて、第一ジャンプ台４０の正面側に、飛び跳ねられなかった遊技球が必ず誘導されるようにしたりして、第一ジャンプ台４０への遊技球の滞留を抑制することが望ましい。
【００４２】
また、チャッカー２０，２１はスルーチャッカーなど別の態様の入賞口としても良い。また、各ジャンプ台の角度などを可動に設け、必要に応じてジャンプ台の角度などを調整可能としたり、遊技時に角度などが自動的に可動となるようにして、ジャンプ台が所定の角度などに変位した場合にのみ入賞の機会が高まるなどの構成とすることもできる。
【００４３】
また、前述した例のようにジャンプ台４０等の誘導部ではなく、可動装置などにより遊技球を飛び跳ねさせるようなジャンプ台とすることも考えられる。
【図面の簡単な説明】
【００４４】
【図１】本発明のパチンコ機の正面図である。
【図２】誘導装置の正面図である。
【図３】迂回誘導路の図２のＡ−Ａ’線断面図である。
【図４】別の誘導装置の正面図である。
【符号の説明】
【００４５】
１；パチンコ機、２；本体、３；機枠、４；前面枠、５；ガラス扉枠、６；遊技盤、７；前面扉、８；球受け皿、９；余剰球受け皿、１０；操作ハンドル、１２；ガイドレール、１３；遊技領域、２０；第一チャッカー，２１；第二チャッカー、２２；特別図柄表示装置、２３；スルーチャッカー、２４；可変大入賞口装置、２５；開閉扉、２６；始動入賞口、２７；アウト口、２８；釘、３０ａ，３０ｂ；誘導装置、３１；本体壁部、３２；外周縁、３４；振り分け部材、３５；内側壁部、３６；第一通路、３７；左傾斜面、３８；右傾斜面、３９ａ，３９ｂ，３９ｃ；誘導路、４０；第一ジャンプ台、４２；上面部、５０；迂回誘導路入口、５２；迂回誘導路、５４；迂回誘導路出口、６０ａ，６０ｂ；第二ジャンプ台、６２；上面部、６３；上面部、６４；第二通路、６６；第三通路、７０；誘導装置、７２；第一ジャンプ台、７４；第二ジャンプ台、７６；上面部、７８；振り分け部材、８０；左傾斜面、８２；右傾斜面、８６；上面部、８８；第三通路、９０；アウト口。
【図１】
2010046222.tif 000003
【図２】
2010046222.tif 000004
【図３】
2010046222.tif 000005
【図４】
2010046222.tif 000006